(57)【特許請求の範囲】
【請求項１】
第１キャラクターの画像及び前記第１キャラクターと異なる第２キャラクターの画像を含む動画像データであって、前記動画像データにおける画像領域内の位置と、当該位置にあるキャラクターを識別するためのキャラクター識別情報とが関連付けられたメタ情報を含む動画像データと、前記動画像データに関連付けられており、前記第１キャラクターの視点に対応する第１動画像データと、前記第１動画像データに関連付けられており、前記第２キャラクターの視点に対応する第２動画像データと、を取得するデータ取得部と、
前記メタ情報を参照することにより、前記動画像データを視聴するユーザにより前記画像領域において選択された位置に表示されていることを特定したキャラクターの視点に対応する前記第１動画像データ又は前記第２動画像データを選択動画像データとして特定する動画像特定部と、
前記第１動画像データ又は前記第２動画像データのうち、前記動画像特定部が特定した前記選択動画像データを再生する再生部と、
を有する画像表示装置。
【請求項２】
前記ユーザの好みのキャラクターの特徴を設定する操作を受け付ける操作受付部をさらに有し、
前記動画像特定部は、前記第１キャラクター及び前記第２キャラクターのうち、前記操作受付部が受け付けた操作が示す前記特徴により近いキャラクターの視点に対応する動画像データを前記選択動画像データとして特定する、
請求項１に記載の画像表示装置。
【請求項３】
前記再生部が動画像データを表示部に表示させている間に、表示されている前記動画像データの少なくとも一部の領域を選択する操作を受け付ける操作受付部をさらに有し、
前記動画像特定部は、前記操作受付部が受け付けた操作が示す前記領域に含まれている画像の内容に基づいて前記選択動画像データを特定する、
請求項１又は２に記載の画像表示装置。
【請求項４】
前記動画像特定部は、過去に前記ユーザによって視聴を希望する動画像データに含まれるべきキャラクターが選択された場合、選択されたことがあるキャラクターに対応する動画像データを前記選択動画像データとして特定する、
請求項１から３のいずれか一項に記載の画像表示装置。
【請求項５】
前記第１キャラクター又は前記第２キャラクターの少なくともいずれかのセリフを示す複数のシナリオ候補から、前記再生部が再生するシナリオである再生シナリオを選択するシナリオ選択部をさらに有する、
請求項１から４のいずれか一項に記載の画像表示装置。
【請求項６】
前記シナリオ選択部は、シナリオを選択可能な一以上の時間帯を示す情報を表示部に表示させ、前記一以上の時間帯のうち選択された時間帯に対応する複数のシナリオ候補から前記再生シナリオを選択する操作を受け付けることによって、前記再生シナリオを選択する、
請求項５に記載の画像表示装置。
【請求項７】
前記シナリオ選択部は、前記再生シナリオが選択済の時間帯を他の時間帯と異なる態様で表示する、
請求項６に記載の画像表示装置。
【請求項８】
前記シナリオ選択部は、前記第１キャラクターに対応する複数の第１シナリオ候補、及び前記第２キャラクターに対応する複数の第２シナリオ候補から、前記再生シナリオを選択する、
請求項５から７のいずれか一項に記載の画像表示装置。
【請求項９】
前記シナリオ選択部は、前記動画像特定部が特定した前記選択動画像データに対応する前記再生シナリオをユーザの操作に基づいて選択する、
請求項５から８のいずれか一項に記載の画像表示装置。
【請求項１０】
前記シナリオ選択部は、前記ユーザの気分を判定した結果に基づいて前記再生シナリオを選択する、
請求項５から９のいずれか一項に記載の画像表示装置。
【請求項１１】
コンピュータに、
第１キャラクターの画像及び前記第１キャラクターと異なる第２キャラクターの画像を含む動画像データであって、前記動画像データにおける画像領域内の位置と、当該位置にあるキャラクターを識別するためのキャラクター識別情報とが関連付けられたメタ情報を含む動画像データを取得するステップと、
前記動画像データに関連付けられており、前記第１キャラクターの視点に対応する第１動画像データと、前記第１動画像データに関連付けられており、前記第２キャラクターの視点に対応する第２動画像データと、を取得するステップと、
前記メタ情報を参照することにより、前記動画像データを視聴するユーザにより前記画像領域において選択された位置に表示されていることを特定したキャラクターの視点に対応する前記第１動画像データ又は前記第２動画像データを選択動画像データとして特定するステップと、
前記第１動画像データ又は前記第２動画像データのうち、前記選択動画像データを再生するステップと、
を実行させるためのプログラム。
【発明の詳細な説明】
【技術分野】
【０００１】
本発明は、画像表示装置及びプログラムに関する。
【背景技術】
【０００２】
従来、同一の被写体を複数のアングルから同時に撮像した複数の動画像を切り替えて表示する技術が知られている（例えば、特許文献１を参照）。
【先行技術文献】
【特許文献】
【０００３】
【特許文献１】特開平７−１０７４３７号公報
【発明の概要】
【発明が解決しようとする課題】
【０００４】
人物や動物等の複数のキャラクターが動画像に含まれている場合がある。複数のキャラクターが含まれている動画像をユーザが見る場合、ユーザは第三者的な立場で複数のキャラクターを見るか、主人公の立場で複数のキャラクターを見ることになるため、見る立場に共感を得られないと没入感を得ながら動画像を見ることが難しいという問題があった。
【０００５】
そこで、本発明はこれらの点に鑑みてなされたものであり、ユーザが動画像を見る際に没入感を得やすくすることを目的とする。
【課題を解決するための手段】
【０００６】
本発明の第１の態様の画像表示装置は、第１キャラクターの視点に対応する第１動画像データと、前記第１動画像データに関連付けられており、前記第１キャラクターと異なる第２キャラクターの視点に対応する第２動画像データと、を取得するデータ取得部と、前記第１動画像データ又は前記第２動画像データの少なくともいずれかを視聴するユーザが視聴を希望する動画像データである選択動画像データを特定する動画像特定部と、前記第１動画像データ又は前記第２動画像データのうち、前記動画像特定部が特定した前記選択動画像データを再生する再生部と、を有する。
【０００７】
前記画像表示装置は、前記ユーザの好みのキャラクターの特徴を設定する操作を受け付ける操作受付部をさらに有し、前記動画像特定部は、前記第１キャラクター及び前記第２キャラクターのうち、前記操作受付部が受け付けた操作が示す前記特徴により近いキャラクターの視点に対応する動画像データを前記選択動画像データとして特定してもよい。
【０００８】
前記再生部が動画像データを表示部に表示させている間に、表示されている前記動画像データの少なくとも一部の領域を選択する操作を受け付ける操作受付部をさらに有し、前記動画像特定部は、前記操作受付部が受け付けた操作が示す前記領域に含まれている画像の内容に基づいて前記選択動画像データを特定してもよい。
【０００９】
前記動画像特定部は、過去に前記ユーザによって視聴を希望する動画像データに含まれるべきキャラクターが選択された場合、選択されたことがあるキャラクターに対応する動画像データを前記選択動画像データとして特定してもよい。
【００１０】
前記第１キャラクター又は前記第２キャラクターの少なくともいずれかのセリフを示す複数のシナリオ候補から、前記再生部が再生するシナリオである再生シナリオを選択するシナリオ選択部をさらに有してもよい。
【００１１】
前記シナリオ選択部は、シナリオを選択可能な一以上の時間帯を示す情報を表示部に表示させ、前記一以上の時間帯のうち選択された時間帯に対応する複数のシナリオ候補から前記再生シナリオを選択する操作を受け付けることによって、前記再生シナリオを選択してもよい。
【００１２】
前記シナリオ選択部は、前記再生シナリオが選択済の時間帯を他の時間帯と異なる態様で表示してもよい。
【００１３】
前記シナリオ選択部は、前記第１キャラクターに対応する複数の第１シナリオ候補、及び前記第２キャラクターに対応する複数の第２シナリオ候補から、前記再生シナリオを選択してもよい。
【００１４】
前記シナリオ選択部は、前記動画像特定部が特定した前記選択動画像データに対応する前記再生シナリオをユーザの操作に基づいて選択してもよい。
【００１５】
前記シナリオ選択部は、前記ユーザの気分を判定した結果に基づいて前記再生シナリオを選択してもよい。
【００１６】
本発明の第２の態様のプログラムは、コンピュータに、第１キャラクターの視点に対応する第１動画像データと、前記第１動画像データに関連付けられており、前記第１キャラクターと異なる第２キャラクターの視点に対応する第２動画像データと、を取得するステップと、前記第１動画像データ又は前記第２動画像データの少なくともいずれかを視聴するユーザが視聴を希望する動画像データである選択動画像データを特定するステップと、前記第１動画像データ又は前記第２動画像データのうち、前記選択動画像データを再生するステップと、を実行させる。
【発明の効果】
【００１７】
本発明によれば、ユーザが動画像を見る際に没入感を得やすくなるという効果を奏する。
【図面の簡単な説明】
【００１８】
【図１】本実施形態に係る画像表示システムＳの構成を示す図である。
【図２】画像表示装置１が動画像データを表示した状態の例を示す図である。
【図３】画像表示装置１の構成を示す図である。
【図４】シナリオを選択する操作を行うための画面の一例を示す図である。
【図５】シナリオ選択部１５５が再生シナリオを選択する処理を説明するための図である。
【図６】画像表示システムＳにおける処理の流れを示すシーケンス図である。
【発明を実施するための形態】
【００１９】
［画像表示システムＳの構成］
図１は、本実施形態に係る画像表示システムＳの構成を示す図である。画像表示システムＳは、複数の画像表示装置１と画像配信装置２とを有する。画像表示装置１及び画像配信装置２は、ネットワークＮを介して各種のデータを送受信する。ネットワークＮは、例えばインターネット又は携帯電話網を含む。
【００２０】
画像配信装置２は、動画像データを複数の画像表示装置１に配信するサーバである。画像配信装置２は、複数の動画像データを記憶する記憶媒体を有しており、例えば、カメラで撮影されたドラマの動画像データ、又はコンピュータで作成されたアニメーションの動画像データを取得して記憶媒体に記憶する。画像配信装置２は、同一の動画像データを複数の画像表示装置１に配信してもよく、異なる動画像データを複数の画像表示装置１に配信してもよい。
【００２１】
画像配信装置２が配信するドラマやアニメーション等の動画像データには、複数のキャラクターが登場する。本明細書におけるキャラクターは、ドラマやアニメーションに登場する人物又は動物等である。画像配信装置２は、一つのドラマやアニメーションに対応する動画像データとして、複数のキャラクターが見える位置からの視点に対応する標準動画像データ、第１キャラクターの視点に対応する第１動画像データ、及び第２キャラクターの視点に対応する第２動画像データを少なくとも記憶している。画像配信装置２は、さらに多くのキャラクターの視点に対応する複数のキャラクター別動画像データを記憶していてもよい。
【００２２】
キャラクターの視点に対応する動画像データは、例えば、キャラクターが視認することができる領域が撮影又は描画された画像データにより構成される動画像データである。ドラマの動画像データの場合、キャラクターの視点に対応する動画像データは、例えば俳優の後方から俳優の前方をカメラで撮影することにより作成される。アニメーションの動画像データの場合、キャラクターの視点に対応する動画像データは、例えばキャラクターが見ている領域を描画することにより作成される。
【００２３】
画像表示装置１は、画像配信装置２から配信された動画像データを表示する端末であり、例えばコンピュータ、スマートフォン、タブレット又はヘッドマウントディスプレイである。画像表示装置１は、第１動画像データ及び第２動画像データのうち、ユーザが視聴を希望する動画像データを選択し、選択した動画像データ（以下、「選択動画像データ」という）を表示することができる。動画像データには、動画像データに含まれるキャラクターが発するセリフ（台詞）が含まれており、画像表示装置１は、キャラクターに対応する音声のセリフをスピーカーから出力する。
【００２４】
図２は、画像表示装置１が動画像データを表示した状態の例を示す図である。図２（ａ）は、第１キャラクターＡ及び第２キャラクターＢが含まれる標準動画像データを示している。図２（ｂ）及び図２（ｃ）は、それぞれ第１キャラクターＡ又は第２キャラクターＢの視点に対応する第１動画像データ及び第２動画像データを示している。
【００２５】
ユーザが第１キャラクターＡになった気分でドラマやアニメーションのストーリーを楽しみたいという場合、画像表示装置１は、図２（ｂ）に示すように、第１キャラクターＡの視点に対応する第１動画像データを表示する。当該第１動画像データには、第１キャラクターＡが見ている第２キャラクターＢの正面の画像が含まれている。
【００２６】
ユーザが第２キャラクターＢになった気分でドラマやアニメーションのストーリーを楽しみたいという場合、画像表示装置１は、図２（ｃ）に示すように、第２キャラクターＢの視点に対応する第２動画像データを表示する。当該第２動画像データには、第２キャラクターＢが見ている第１キャラクターＡの正面の画像が含まれている。画像表示装置１がこのような動画像データを表示することで、画像表示装置１のユーザが動画像を見る際に没入感を得やすくなる。
【００２７】
なお、図２（ｂ）及び図２（ｃ）は、それぞれ第１キャラクターＡ又は第２キャラクターＢの視点に対応する動画像データとして、第１キャラクターＡ又は第２キャラクターＢに見える範囲に対応する動画像データを例示しているが、第１キャラクターＡ又は第２キャラクターＢの視点に対応する動画像データはこれに限らない。第１キャラクターＡ又は第２キャラクターＢの視点に対応する動画像データは、第１キャラクターＡ又は第２キャラクターＢを撮影して作成された動画像データであってもよい。例えば、第１キャラクターＡの視点に対応する動画像データは、第１キャラクターＡを近くから撮影することにより作成された、第１キャラクターＡが大きく表示された動画像データであってもよい。
【００２８】
［画像表示装置１の構成］
図３は、画像表示装置１の構成を示す図である。画像表示装置１は、通信部１１と、出力部１２と、操作部１３と、記憶部１４と、制御部１５と、を有する。制御部１５は、データ取得部１５１と、再生部１５２と、操作受付部１５３と、動画像特定部１５４と、シナリオ選択部１５５と、を有する。
【００２９】
通信部１１は、ネットワークＮを介して画像配信装置２から動画像データを受信するための通信インターフェースである。通信部１１は、受信した動画像データをデータ取得部１５１に入力する。
【００３０】
出力部１２は、動画像データに基づく画像及び音声を出力するデバイスであり、例えばディスプレイ（表示部）及びスピーカーを含む。出力部１２は、再生部１５２から入力された動画像データを表示したり、動画像データに含まれるキャラクターが発した音声を出力したりする。
【００３１】
操作部１３は、ユーザの操作を受けるためのデバイスであり、例えばディスプレイに重ねて設けられたタッチパネルである。操作部１３は、ユーザが操作した位置を示す座標情報を操作受付部１５３に通知する。
【００３２】
記憶部１４は、ＲＯＭ（Read Only Memory）及びＲＡＭ（Random Access Memory）を含む記憶媒体である。記憶部１４は、制御部１５が実行するプログラムを記憶している。記憶部１４は、通信部１１が受信した動画像データを一時的に記憶してもよい。
【００３３】
制御部１５は、例えばＣＰＵ（Central Processing Unit）を有する。制御部１５は、記憶部１４に記憶されたプログラムを実行することにより、データ取得部１５１、再生部１５２、操作受付部１５３、動画像特定部１５４及びシナリオ選択部１５５として機能する。
【００３４】
データ取得部１５１は、第１キャラクターの視点に対応する第１動画像データと、第１動画像データに関連付けられており、第１キャラクターと異なる第２キャラクターの視点に対応する第２動画像データと、を取得する。第１キャラクターの視点に対応する第１動画像データは、第１キャラクターの視野の範囲の画像データにより構成される動画像データである。第２キャラクターの視点に対応する第２動画像データは、第２キャラクターの視野の範囲の画像データにより構成される動画像データである。動画像データには、どのキャラクターの視点に対応しているかを示すテキストを含むメタ情報が関連付けられていてもよい。
【００３５】
図２に示した例の場合、第１キャラクターＡの視点に対応する第１動画像データは図２（ｂ）に示した第２キャラクターＢの正面の画像に対応する動画像データであり、第２キャラクターＢの視点に対応する第２動画像データは図２（ｃ）に示した第１キャラクターＡの正面の画像に対応する動画像データである。データ取得部１５１は、取得した動画像データを再生部１５２に入力する。
【００３６】
再生部１５２は、データ取得部１５１から入力された動画像データを再生し、再生した動画像データを出力部１２に表示させる。再生部１５２は、例えば、符号化された動画像データを復号するデコーダを有しており、デコーダによって動画像データを復号することにより、出力部１２に入力する画面データを作成する。再生部１５２が第１動画像データ又は第２動画像データを再生することにより、画像表示装置１のユーザは、第１動画像データ又は第２動画像データの少なくともいずれかを視聴することができる。
【００３７】
再生部１５２は、動画像特定部１５４の制御に基づいて動画像データを再生する。再生部１５２は、例えば、動画像特定部１５４から入力される制御信号に基づいて、標準動画像データ、第１動画像データ又は第２動画像データのいずれかを再生する。再生部１５２は、データ取得部１５１が取得した第１動画像データ又は第２動画像データのうち、画像表示装置１のユーザが視聴を希望することを動画像特定部１５４が特定した選択動画像データを再生する。
【００３８】
操作受付部１５３は、操作部１３において行われたユーザの操作を受け付ける。具体的には、操作受付部１５３は、ユーザが出力部１２に触れた位置を示す座標データを操作部１３から取得し、座標データに対応する操作の内容を特定する。操作受付部１５３は、ユーザの好みのキャラクターの特徴を設定する操作（以下、「特徴設定操作」という）を受け付ける。操作受付部１５３は、設定されたキャラクターの特徴を動画像特定部１５４及びシナリオ選択部１５５に通知する。
【００３９】
特徴設定操作は、キャラクター名を入力したり、複数のキャラクター名から一以上のキャラクター名を選択したりする操作であってもよい。また、特徴設定操作は、性別、種別、年齢、大きさ、性格等のように、キャラクターの属性を示す情報を入力したり、属性の候補から選択したりする操作であってもよい。
【００４０】
操作受付部１５３は、再生部１５２が動画像データを出力部１２に表示させている間に、表示されている動画像データの少なくとも一部の領域を選択する操作を特徴設定操作として受け付けてもよい。この場合の特徴設定操作は、例えば、図２（ａ）のように複数のキャラクターが表示された画面において、好みのキャラクターにタッチしたり、好みのキャラクターの少なくとも一部を囲んだりする操作である。
【００４１】
操作受付部１５３は、ユーザが所定の時間以上にわたってキャラクターにタッチをし続けた場合に、再生部１５２に動画像データの再生を停止させ、「このキャラクターに設定しますか？」という表示をした後に、ユーザがタッチしたキャラクターを好みのキャラクターとして設定してもよい。操作受付部１５３がこのように動作することで、ユーザが好みのキャラクターとして設定する意図を持っていない状態でキャラクターにタッチした場合に、当該キャラクターが好みのキャラクターとして誤って設定されてしまうことを防げる。
【００４２】
操作受付部１５３は、ユーザが適切な内容を入力できるようにするための案内情報を出力部１２に表示させた後に特徴設定操作を受け付けてもよい。操作受付部１５３は、例えば、「どのキャラクターの視点の画像を見るかを入力してください」、「自分がなりたいキャラクターにタッチしてください」というように、ユーザが一体感を味わう対象となるキャラクターを選択するための案内情報を表示する。
【００４３】
操作受付部１５３は、再生部１５２が第１動画像データ又は第２動画像データを再生している間に、他の動画像データに切り替えるための操作を受け付けてもよい。ユーザは、例えば第１動画像データが出力部１２に表示されている状態でスワイプ操作をすることにより、他のキャラクターの視点に対応する第２動画像データに切り替えることができる。操作受付部１５３は、再生部１５２が再生している第１動画像データに同期している他の動画像データがある場合に、動画像を表示している領域の外側に、他のキャラクターの視点に対応する動画像データに切替が可能であることを表示させ、切替先の動画像の選択を受け付けてもよい。操作受付部１５３は、例えば、他の一以上のキャラクターに対応するアイコン画像を表示させ、アイコン画像にタッチされたことにより、ユーザが選択した他のキャラクターを特定する。操作受付部１５３は、他のキャラクターを特定した後に、特定した他のキャラクターの視点の動画像データに切り替わったかを表示させてもよい。
【００４４】
［視点の選択］
動画像特定部１５４は、ユーザが視聴を希望する動画像データである選択動画像データを特定する。動画像特定部１５４は、第１キャラクター及び第２キャラクターのうち、操作受付部１５３が受け付けた操作が示す特徴により近いキャラクターの視点に対応する動画像データを選択動画像データとして特定する。図２に示した例において、例えばユーザが「犬」と入力した場合、動画像特定部１５４は、第１キャラクターＡの視点に対応する第１動画像データ（図２（ｂ）に示す動画像データ）を選択動画像データとして特定する。動画像特定部１５４は、例えば、第１動画像データに関連付けられているメタ情報が、犬の視点の動画像データであることを示している場合に、第１動画像データを選択する。
【００４５】
動画像特定部１５４は、操作受付部１５３が受け付けた操作が示す領域に含まれている画像の内容に基づいて選択動画像データを特定してもよい。一例として、動画像特定部１５４は、図２（ａ）に示す動画像データが出力部１２に表示されている状態でユーザが第１キャラクターＡにタッチしたりした場合に、ユーザがタッチした第１キャラクターＡの視点に対応する第１動画像データを選択動画像データとして特定する。
【００４６】
動画像特定部１５４が、ユーザが操作した領域に含まれる画像の内容に基づいて、ユーザが一体感を味わいたいキャラクターを特定できるように、図２（ａ）に示す動画像データには、画像内の位置と、それぞれの位置にあるキャラクターを識別するための情報（例えばキャラクター名）とが関連付けられたメタ情報が含まれていてもよい。動画像特定部１５４は、当該メタ情報を参照することにより、ユーザがタッチした位置に表示されているキャラクターを特定することができる。
【００４７】
動画像特定部１５４は、ユーザによって選択されたキャラクターを、ユーザを識別するための識別情報に関連付けて記憶部１４に記憶させてもよい。そして、動画像特定部１５４は、データ取得部１５１が新たな第１動画像データ及び第２動画像データを取得した場合に、記憶部１４を参照することにより、過去にユーザによって選択されたキャラクターがあるか否かを判定する。動画像特定部１５４は、過去にユーザによってキャラクターが選択された場合、選択されたことがあるキャラクターに対応する動画像データを選択動画像データとして特定する。
【００４８】
一例として、動画像特定部１５４は、過去にユーザによって選択されたキャラクターがあり、かつデータ取得部１５１が取得した第１動画像データ又は第２動画像データに、選択されたキャラクターが含まれている場合、選択されたことがあるキャラクターに対応する動画像データを選択動画像データとして特定する。具体的には、動画像特定部１５４は、ユーザが過去に第１キャラクターＡを選択したことがあり、かつデータ取得部１５１が図２（ａ）に示す動画像データを取得した場合、図２（ｂ）に示したような第１キャラクターＡの視点に対応する第１動画像データを選択する。動画像特定部１５４がこのように動作することで、ユーザが特徴設定操作をすることなく、ユーザが一体感を味わいたいキャラクターの視点に対応する動画像データが出力部１２に表示されるので、ユーザの利便性が向上する。
【００４９】
［シナリオの選択］
動画像データが再生される間は、動画像データに含まれる複数のキャラクターが、予め作成されたシナリオに沿ったセリフを発する。ユーザが希望するシナリオに沿ってストーリーが展開すると、ユーザは、さらに動画像データに没入しやすくなる。そこで、動画像データには、複数のシナリオ候補が関連付けられていてもよい。具体的には、動画像データには、動画像データに含まれる複数のキャラクターが音声を発する際のセリフの複数の候補が含まれていてもよい。
【００５０】
シナリオ選択部１５５は、第１キャラクター又は第２キャラクターの少なくともいずれかのセリフを示す複数のシナリオ候補から、再生部１５２が再生するシナリオである再生シナリオを選択する。シナリオ選択部１５５は、例えば、シナリオを選択可能な一以上の時間帯を示す情報を出力部１２に表示させ、一以上の時間帯のうち選択された時間帯に対応する複数のシナリオ候補から再生シナリオを選択する操作を受け付けることによって、再生シナリオを選択する。シナリオ選択部１５５は、選択したシナリオを特定するための情報を動画像特定部１５４に通知することにより、選択したシナリオに基づくセリフとともに動画像データを再生部１５２に再生させる。
【００５１】
図４は、シナリオを選択する操作を行うための画面の一例を示す図である。図４に示す画面は、例えば、操作受付部１５３がユーザの好みのキャラクターの設定を受け付けた後に出力部１２に表示される。図４においては、ユーザがキャラクターＡを好みのキャラクターに設定した後に表示される画面を示している。
【００５２】
図４に示す画面には、キャラクターＡの右側に、ユーザが選択可能なシナリオ候補であるセリフ候補Ｘ１及びセリフ候補Ｘ２が表示されている。画面の上方には、動画像データの表示可能時間帯が０から３０分００秒までであることを示すスライドバー画像Ｇ０と、シナリオを選択することが可能な時間帯を示す画像Ｇ１（Ｇ１ａ〜Ｇ１ｄ）と、シナリオ候補を選択する時間帯を指定するための画像Ｇ２と、が表示されている。図４においては、画像Ｇ２が指している画像Ｇ１ｂの時間帯に対応するシナリオの候補が表示されている。ユーザは、画像Ｇ２の位置を動かすことで、どの時間帯のシナリオを設定するかを指定することができる。
【００５３】
シナリオを選択することができる複数の時間帯のうち、黒色で表示されている画像Ｇ１ａは、シナリオが選択済であることを示している。このようにシナリオ選択部１５５は、再生シナリオが選択済の時間帯を他の時間帯と異なる態様で表示してもよい。
【００５４】
図５は、シナリオ選択部１５５が再生シナリオを選択する処理を説明するための図である。図５に示すように、第１キャラクターＡ及び第２キャラクターＢのそれぞれに対して、斜線で示すセリフを選択可能なシーンごとに複数のセリフ候補が定められている。図５に示す例の場合、第１キャラクターＡ及び第２キャラクターＢのそれぞれに対して８通りのセリフ候補の組み合わせ（つまり８つのシナリオ候補）がある。シナリオ選択部１５５は、第１キャラクターＡに対応する複数の第１シナリオ候補、及び第２キャラクターＢに対応する複数の第２シナリオ候補から、再生シナリオを選択する。
【００５５】
第１キャラクターＡに対しては、シーン１におけるセリフ候補としてセリフａ１１及びセリフａ１２が定められている。シナリオ選択部１５５は、シーン１においてセリフａ１１を選択すると、シーン２においてセリフａ２１又はセリフａ２２のいずれか一つを選択する。同様に、シナリオ選択部１５５は、シーン２においてセリフａ２１を選択すると、シーン３においてセリフａ３１又はセリフａ３２のいずれか一つを選択する。
【００５６】
シナリオ選択部１５５は、ユーザがセリフを試しに聞くための操作をしたことに応じて、再生部１５２にセリフを再生させてもよい。この場合、シナリオ選択部１５５は、再生後に行われたユーザの操作に基づいて、使用するセリフを選択する。
【００５７】
シナリオ選択部１５５は、シナリオを選択可能な時間帯のうち、より前の時間帯においてシナリオが選択済であることを条件として、ユーザがシナリオを選択できるようにしてもよい。図４に示す例の場合、シナリオ選択部１５５は、ユーザが画像Ｇ１ｂにタッチしたことに応じてセリフ候補Ｘ１及びセリフ候補Ｘ２を表示するが、ユーザが画像Ｇ１ｃ又は画像Ｇ１ｄにタッチした場合、「シナリオが選択されていない時間帯があります」といった警告メッセージを表示させてもよい。
【００５８】
シナリオ選択部１５５は、動画像特定部１５４が特定した選択動画像データに対応するキャラクターのセリフをユーザの操作に基づいて選択し、ユーザが選択したセリフに適した他のキャラクターのセリフを自動的に選択してもよい。シナリオ選択部１５５は、例えば図４に示したように、動画像特定部１５４が特定した選択動画像データに対応するキャラクターのセリフをユーザが選択できるようにする。シナリオ選択部１５５がこのように動作することで、ユーザは、自身が一体感を味わいたいキャラクターのセリフを選択するだけでよいので、少ない操作で自身に合ったシナリオで動画像データを楽しむことができる。なお、シナリオ選択部１５５は、セリフを選択することをユーザに促すメッセージを表示させてもよい。また、シナリオ選択部１５５は、ユーザが所定の時間以内にセリフを選択しない場合、デフォルトで決められているセリフを自動的に再生してもよい。
【００５９】
シナリオ選択部１５５は、ユーザの選択によらず、ユーザの属性に基づいて再生シナリオを選択してもよい。ユーザの属性は、例えばユーザの性別、年齢、職業、趣味、好み等のようにユーザが好むシナリオに影響する性質である。シナリオ選択部１５５がユーザの属性に基づいて再生シナリオを選択できるように、動画像データに関連付けられたそれぞれのセリフ候補には、セリフ候補に適したユーザの属性を示すメタ情報が含まれていてもよい。
【００６０】
シナリオ選択部１５５は、予め記憶部１４に記憶されたユーザの属性と、セリフ候補に含まれるメタ情報とを参照し、それぞれのシーンに関連付けられた複数のセリフ候補のうち、ユーザの属性に適したセリフ候補を選択する。シナリオ選択部１５５は、選択したセリフ候補を、ユーザにお勧めするセリフ候補として提示してもよい。このようにシナリオ選択部１５５がユーザの属性に基づいて再生シナリオを選択することにより、ユーザがセリフを選択することなくユーザに適したシナリオで動画像データを再生することができる。
【００６１】
また、シナリオ選択部１５５は、ユーザの気分を判定した結果に基づいて再生シナリオを選択してもよい。シナリオ選択部１５５は、例えば、動画像データを再生するための操作が行われたことに応じて、ユーザの気分を判定するための質問を出力部１２に表示させ、ユーザから入力された回答に基づいてユーザの気分を判定する。シナリオ選択部１５５がユーザの気分に基づいて再生シナリオを選択できるように、動画像データに関連付けられたそれぞれのセリフ候補には、セリフ候補に適したユーザの気分を示すメタ情報が含まれている。
【００６２】
シナリオ選択部１５５は、判定したユーザの気分と、セリフ候補に含まれるメタ情報とを参照し、それぞれのシーンに関連付けられた複数のセリフ候補のうち、ユーザの気分に適したセリフ候補を選択する。シナリオ選択部１５５は、選択したセリフ候補を、ユーザにお勧めするセリフ候補として提示してもよい。このようにシナリオ選択部１５５がユーザの気分に基づいて再生シナリオを選択することによって、例えばユーザが悲しい気分になっている時に、元気が出やすい再生シナリオを選択することが可能になり、ユーザの満足度が向上する。セリフ候補には、バックグラウンドで流れる音楽が関連付けられており、シナリオ選択部１５５が選択したセリフ候補に応じて、動画像データを再生中に流れる音楽が切り替わってもよい。また、シナリオ選択部１５５は、選択したセリフ候補に応じて画面全体の明るさや色合いを変えるように再生部１５２に指示してもよい。
【００６３】
なお、シナリオ選択部１５５は、例えば、再生する動画像データが選択されたタイミングでユーザに質問に回答させることによりユーザの気分を判定し、判定した気分に基づいて、ユーザにお勧めするキャラクター又はシナリオを提示してもよい。この場合、シナリオ選択部１５５は、ユーザが選択したキャラクター又はシナリオに対応する動画像データを再生するように再生部１５２に指示してもよい。
【００６４】
以上の説明においては、シナリオ選択部１５５がセリフを選択可能なシーンごとにセリフを選択するという場合を例示したが、シナリオ選択部１５５は、複数のセリフの組み合わせにより構成される複数のシナリオ候補から一つの再生シナリオを選択してもよい。例えば、シナリオ選択部１５５は、ユーザによる操作、ユーザの属性又はユーザの気分等に基づいて、標準バージョン、ハッピーエンドバージョン、バッドエンドバージョン等の複数のシナリオ候補から再生シナリオを選択してもよい。
【００６５】
［画像表示システムＳにおける処理の流れ］
図６は、画像表示システムＳにおける処理の流れを示すシーケンス図である。図６に示すシーケンス図は、画像表示装置１のユーザが再生する動画像データを選択する操作を行った時点から開始している。
【００６６】
操作受付部１５３は、ユーザにより行われた動画像の再生操作を受け付けると（Ｓ１１）、指定された動画像データを画像配信装置２に要求するための画像要求メッセージを画像配信装置２に送信する。画像配信装置２は、画像要求メッセージに応じて、記憶している複数の動画像データから画像表示装置１に送信する動画像データを選択し（Ｓ１２）、選択した動画像データを画像表示装置１に送信する。当該動画像データには、複数のキャラクターが含まれている。
【００６７】
続いて、動画像特定部１５４は、どのキャラクターの視点に対応する動画像データを再生するかを選択する（Ｓ１３）。動画像特定部１５４は、例えば第１動画像データを選択した場合、データ取得部１５１を介して、第１動画像データを要求するメッセージを画像配信装置２に送信し、第１動画像データを取得する。
【００６８】
続いて、シナリオ選択部１５５は、ユーザの操作、ユーザの属性又はユーザの気分等に基づいて、再生するシナリオを選択する（Ｓ１４）。シナリオ選択部１５５は、選択されたシナリオを特定するための情報を動画像特定部１５４に通知し、再生部１５２が、選択されたシナリオに対応するセリフを第１動画像データとともに再生する（Ｓ１５）。
【００６９】
再生部１５２が第１動画像データを再生中にユーザがスワイプ操作を行うと（Ｓ１６においてＹＥＳ）、動画像特定部１５４は、データ取得部１５１を介して、第２動画像データを要求するメッセージを画像配信装置２に送信し、第２動画像データを取得する。再生部１５２は、取得された第２動画像データを再生する（Ｓ１７）。再生部１５２は、スワイプ操作が行われるまでの間（Ｓ１６においてＮＯ）、第１動画像データの再生を継続する。
【００７０】
図６に示すシーケンス図においては、動画像特定部１５４が再生する動画像データを選択した後に、動画像データを画像配信装置２から取得しているが、画像表示装置１は、Ｓ１１において動画像データが指定された時点で、指定された動画像データに含まれる複数のキャラクターの視点に対応する複数の動画像データ（例えば第１動画像データ及び第２動画像データ）を取得しておいてもよい。このように画像表示装置１が動作することで、ユーザが視聴する動画像を切り替える場合に待ち時間が生じることを防げる。
【００７１】
［画像表示装置１による効果］
以上説明したように、データ取得部１５１が、第１キャラクターの視点に対応する第１動画像データと、第２キャラクターの視点に対応する第２動画像データと、を取得し、再生部１５２が、ユーザの操作、ユーザの過去の視聴履歴、ユーザの属性等に基づいて、ユーザが希望する動画像データを再生する。ユーザは、キャラクターの視点に対応する動画像を見ることにより、ユーザ自身がキャラクターになったような気分で動画像データを視聴できるので、没入感を得やすくなる。
【００７２】
また、画像表示装置１は、ユーザの操作、ユーザの属性、ユーザの気分等に基づいて選択したシナリオに沿って動画像データを再生する。画像表示装置１が、このようにユーザに適したシナリオに沿って動画像データを再生することで、ユーザは、さらに高い没入感を得ることが可能になる。
【００７３】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００７４】
１  画像表示装置
２  画像配信装置
３  シーン
１１  通信部
１２  出力部
１３  操作部
１４  記憶部
１５  制御部
１５１  データ取得部
１５２  再生部
１５３  操作受付部
１５４  動画像特定部
１５５  シナリオ選択部
【要約】
【課題】ユーザが動画像を見る際に没入感を得やすくなるようにする。
【解決手段】画像表示装置１は、第１キャラクターの視点に対応する第１動画像データと、第１動画像データに関連付けられており、第１キャラクターと異なる第２キャラクターの視点に対応する第２動画像データと、を取得するデータ取得部１５１と、第１動画像データ又は第２動画像データの少なくともいずれかを視聴するユーザが視聴を希望する動画像データである選択動画像データを特定する動画像特定部１５４と、第１動画像データ又は第２動画像データのうち、動画像特定部が特定した選択動画像データを再生する再生部１５２と、を有する。
【選択図】図３【図１】
0006872067.tif 000002
【図２】
0006872067.tif 000003
【図３】
0006872067.tif 000004
【図４】
0006872067.tif 000005
【図５】
0006872067.tif 000006
【図６】
0006872067.tif 000007